(57)【要約】      （修正有）【課題】生体音データと被験者とを関連付ける手間を軽減可能な電子聴診器を提供する。【解決手段】集音部１１２は、被験者の生体音を収集する。付加情報取得部１４は、前記被験者を特定するための情報であって、自装置に備えられた計測手段によって計測可能な付加情報を取得する。送信部１６１は、前記生体音を示す生体音データと、前記付加情報と、を外部装置へ送信する。【選択図】図２
2015029646.tif 000002
【特許請求の範囲】
【請求項１】
被験者の生体音を収集する集音部と、
前記被験者を特定するための情報であって、自装置に備えられた計測手段によって計測可能な付加情報を取得する付加情報取得部と、
前記生体音を示す生体音データと、前記付加情報と、を外部装置へ送信する送信部と、
を備えることを特徴とする生体音収集装置。
【請求項２】
前記付加情報取得部は、
計時手段によって計測された情報であって、前記生体音を収集した時刻を示す時刻情報を取得する
ことを特徴とする請求項１に記載の生体音収集装置。
【請求項３】
前記付加情報取得部は、
位置計測手段によって計測された情報であって、前記生体音を収集した位置を示す位置情報を取得する
ことを特徴とする請求項１または請求項２に記載の生体音収集装置。
【請求項４】
使用者による入力操作を受け付ける操作受付部をさらに備え、
前記送信部は、
前記操作受付部において前記入力操作を受け付けた場合に、前記外部装置へ送信する
ことを特徴とする請求項１から請求項３の何れか一項に記載の生体音収集装置。
【請求項５】
被験者の生体音を収集する集音部と、前記被験者を特定するための情報であって、自装置に備えられた計測手段によって計測可能な付加情報を取得する付加情報取得部と、前記生体音を示す生体音データと、前記付加情報と、を外部装置へ送信する送信部と、を備える生体音収集装置と、
前記付加情報と、前記被験者を特定するための情報と、を取得し、前記生体音データと前記特定された被験者固有の情報とを関連付ける処理を行う診察情報特定部と、
を備えることを特徴とする診察支援システム。
【発明の詳細な説明】
【技術分野】
【０００１】
本発明は、生体音収集装置及び診察支援システムに関する。
【背景技術】
【０００２】
従来から、被験者（患者）の心肺系の診察を行う際に、マイク等の集音部を備えた聴診器を使って被験者の呼吸音又は心音など（生体音）を集音し、デジタル音響信号としてデータサーバに保存しておくことにより、そのデジタル音響信号を医師や被験者が随時再生することができる診察支援システムが開発されている。
【０００３】
例えば、集音された生体音を示す生体音データに、当該生体音データの付加情報として被験者の識別情報等の情報を対応付けてデータサーバに保存させるとともに、入力された被験者の識別情報等に対応する生体音データをデータサーバから取得する診察支援システムが開示されている（特許文献１参照）。
【先行技術文献】
【特許文献】
【０００４】
【特許文献１】特開２００７−０２９７４９号公報
【発明の概要】
【発明が解決しようとする課題】
【０００５】
しかしながら、特許文献１に記載の診察支援システムでは、記録された生体音データと、被験者とを関連付けるため、診察者などが予め備えられた端末装置（パソコン等）に対し、被験者を識別するための被験者識別情報を入力する操作を行う必要がある。
【０００６】
そうすると、診察者は、診察の度にこの被験者識別情報を入力する手間が生じるばかりでなく、複数の病室を回診する場合において、聴診器と合わせて上記端末装置を常に一緒に持ち歩かなければならない、という問題が生じる。
【０００７】
本発明は、上記の点に鑑みてなされたものであり、生体音データと被験者とを関連付ける手間を軽減させることができる生体音収集装置及び診察支援システムを提供することを課題とする。
【課題を解決するための手段】
【０００８】
本発明は上記の課題を解決するためになされたものであり、本発明の一態様は、被験者の生体音を収集する集音部と、前記被験者を特定するための情報であって、自装置に備えられた計測手段によって計測可能な付加情報を取得する付加情報取得部と、前記生体音を示す生体音データと、前記付加情報と、を外部装置へ送信する送信部と、を備えることを特徴とする生体音収集装置である。
【発明の効果】
【０００９】
本発明によれば、生体音データと被験者とを関連付ける手間を軽減させることができる。
【図面の簡単な説明】
【００１０】
【図１】本発明の第１の実施形態に係る生体音収集装置の使用状況の一例を示す概略図である。
【図２】本発明の第１の実施形態に係る生体音収集装置の構成の一例を示す概略ブロック図である。
【図３】本発明の第１の実施形態に係る生体音収集装置の使用状況の一例を示す第二の概略図である。
【図４】本発明の第１の実施形態に係るデータサーバの構成の一例を示す概略ブロック図である。
【図５】本発明の第１の実施形態に係る生体音収集装置の動作の一例を示すフローチャートである。
【図６】本発明の第２の実施形態に係る生体音収集装置の構成の一例を示す概略ブロック図である。
【図７】本発明の第３の実施形態に係る生体音収集装置の使用状況の一例を示す概略図である。
【発明を実施するための形態】
【００１１】
（第１の実施形態）
図１は、本発明の第１の実施形態に係る生体音収集装置１の使用状況の一例を示す概略図である。図１の上部には、生体音収集状況Ｓ１を示し、図１の下部には聴診状況Ｓ２を示す。
【００１２】
生体音収集システムにおける生体音収集状況Ｓ１では、医師Ｈ１、医療従事者Ｈ２または被験者（患者）Ｈ３のいずれかの者（以下、「使用者」と称する。）が、被験者Ｈ３の生体音を収集するために生体音収集装置１（以下、「チェストピース」とも称する）を被験者Ｈ３の被検部に当接させる。被験者Ｈ３は、吸気および／または呼気し、その際生じる被験者Ｈ３の生体音（呼吸音）を、生体音収集装置１は収集する。
【００１３】
生体音収集装置１は、収集した被験者Ｈ３の生体音を、導線を通じて、例えば、生体音収集装置１に接続されるイヤホン２（以下、「イヤーピース」とも称する。）に出力する。医師Ｈ１は、生体音収集装置１が収集した被験者Ｈ３の生体音を、イヤホン２を用いて聴き取り、被験者Ｈ３の生体音を聴診する。
【００１４】
なお、以下の各実施形態において、生体音収集装置１とイヤホン２とを導線を通じて接続した場合について説明するが、本発明はこれに限定されない。
例えば、使用者は、生体音収集装置１のみを用いて被験者Ｈ３の生体音を収集し、収集した被験者Ｈ３の生体音を電気信号に変換して、有線または無線を用いて端末装置３（例えば、パソコン）に送信する。端末装置３が生体音収集装置１から被験者Ｈ３の生体音を受信すると、該生体音を端末装置３が備える記憶装置に記憶させる。図１の聴診状況Ｓ２に示すように、医師Ｈ１は、被験者Ｈ３の生体音を、端末装置３を用いてリアルタイムに、あるいは後刻に、上記の記憶装置に格納した生体音を再生して聴き取り、また、端末装置３が備えるディスプレイ装置の画面に該生体音を表す波形を表示して、被験者Ｈ３を診察してもよい。
【００１５】
図２は、本実施形態に係る生体音収集装置１の構成の一例を示す概略ブロック図である。
生体音収集装置１は、録音部１１と、制御部１２と、操作受付部１３と、付加情報取得部１４と、Ｄ／Ａ（Digital/Analog：デジタル／アナログ）部１５と、無線通信部１６と、を含んで構成される。録音部１１は、振動板１１１、収音部１１２と、マイク１１３と、Ａ／Ｄ部１１４と、データ処理部１１５と、メモリ１１６と、を含んで構成される。これらの部材は、図２に示すようにしてバス（母線）を介して相互に接続されている。生体音収集装置１は、その他、一般的な公知の生体音収集装置の構成を備えるが、説明および図示は省略する。
【００１６】
録音部１１は、制御部１２から録音を開始することを指示する指示信号を受けると、収音部１１２を介して集音された生体音（例えば、肺音、心音など）を電気信号に変換し、Ａ／Ｄ部１１４は、この生体音を表すアナログ信号である電気信号をデジタルデータ（「生体音データ」という。）に変換する。データ処理部１１５は、生成した生体音データに対して、所定のデータ処理を行い、次いでメモリ１１６に記憶する。録音部１１の詳細な説明は後述する。
【００１７】
制御部１２は、所定の検出信号（例えば、操作受付部１３の送信ボタン１３１におけるスイッチ操作により生じた信号）に基づいて、録音の開始または終了を指示する指示信号を録音部１１に出力する。制御部１２は、検出信号に基づいて、生体音（例えば、呼気・吸気により生じる生体音、心臓弁や血液が動くことにより生じる生体音など）を録音部１１のメモリ１１６に録音させる。制御部１２の詳細な説明は後述する。
【００１８】
操作受付部１３は、使用者がスイッチ操作したことを示す検出信号を制御部１２に出力する。操作受付部１３は、少なくとも、生体音の録音及び外部装置（後述するデータサーバ４）への送信を指示する送信ボタン１３１を有している。
付加情報取得部１４は、検出信号（例えば、操作受付部１３が出力した信号）に基づいて、録音部１１が生体音の集音及び録音を開始した時刻を示す時刻情報を取得して記憶する。付加情報取得部１４の詳細は後述する。
Ｄ／Ａ部１５は、録音部１１から入力される録音または集音した生体音を示すデジタル信号をアナログ信号に変換する。Ｄ／Ａ部１５は、変換したアナログ信号をイヤホン２、端末装置３とか、その他スピーカなどに出力する。
【００１９】
無線通信部１６は、例えば、Ｂｌｕｅｔｏｏｔｈ（登録商標）やＷｉ‐Ｆｉ（登録商標）などの所定の通信規格に基づいて、必要に応じてＡＰ（Access Point：アクセスポイント）を介して外部装置（データサーバ４）との通信を確立する。無線通信部１６は、録音部１１が取得した生体音データ、及び付加情報取得部１４が取得した時刻情報を外部装置へ送信する送信部１６１を内部に備えている。
【００２０】
次に、録音部１１について説明を行う。
振動板１１１は、被験者の被検部（生体）に接することで生体音、例えば、吸気音、呼気音に応じて振動する。集音部１１２は、振動板１１１の振動に応じて生体音を収集する。集音部１１２は、収集した生体音をマイク１１３に出力する。
マイク１１３は、集音部１１２が収集した生体音の電気的なアナログ信号を生成する。
Ａ／Ｄ部１１４は、マイク１１３が生成したアナログ信号をデジタル信号に変換する。
Ａ／Ｄ部１１４は、変換したデジタル信号をデータ処理部１１５に出力する。
【００２１】
データ処理部１１５は、入力したデジタル信号（生体音データ）に対して演算処理、フィルタリングを行う。また、後述する無線通信部１６より外部装置へ生体音データを送信する際に、誤り訂正符号の付加など、パケット単位での通信を必要に応じて実施する。
またデータ処理部１１５は、録音部１１による生体音データの取得と同時に付加情報取得部１４が取得した時刻情報を、当該生体音データに付加する処理を行う。
【００２２】
制御部１２は、状態判定部１２１を備える。状態判定部１２１は、操作受付部１３から入力された検出信号に基づいて、録音部１１に集音の開始を指示する指示信号を出力する。これと同時に、制御部１２は、メモリ１１６に生体音データを格納する領域を確保する。指示信号を入力したデータ処理部１１５は、確保されたメモリ１１６の領域に被験者Ｈ３の生体音を表す生体音データを記憶する。
【００２３】
付加情報取得部１４は、被験者を特定するための情報であって、所定の計測手段によって計測可能な付加情報を取得する。本実施形態に係る付加情報取得部１４は、所定の計測手段として計時手段を備えている。当該計時手段は、既知の技術によるもので、例えば内蔵する発振器に基づいて、現在時刻を定常的に計時する。
付加情報取得部１４は、この計時手段により、録音部１１にて録音が行われた時間を示す付加情報（以下、時刻情報と記載する）を取得する。具体的には、例えば、付加情報取得部１４は、操作受付部１３が出力した検出信号を入力するタイミング、すなわち録音部１１が生体音の集音を開始するタイミングで時刻の計測を行い、その時刻を示す時刻情報を取得して記憶する。
なお、付加情報取得部１４は、録音部１１が録音を開始する時刻ではなく、録音を終了する時刻、または、録音の開始時刻、終了時刻の両方を取得してもよい。また付加情報取得部１４は、時刻（時、分）のみならず年月日を示す情報まで取得してもよい。
【００２４】
なお、本実施形態において、Ｄ／Ａ部１５は、生体音収集装置１に含まれると説明しているが、例えば、生体音収集装置１がＤ／Ａ部１５を含まず、イヤホン２と、Ｄ／Ａ部１５とを含む別の装置（例えば、端末装置３）として構成してもよい。
【００２５】
図３は、本発明の第１の実施形態に係る生体音収集装置の使用状況の一例を示す概略図である。
図３は、生体音収集装置１の使用例として、単独の医師Ｈ１が、生体音収集装置１を持ちながら、複数の被験者（患者Ｈ３１、Ｈ３２、Ｈ３３）を診察する状況を示す。
図３に示す例では、診察効率を上げる目的で、３つの診察室Ｐ１、Ｐ２、Ｐ３それぞれに患者Ｈ３１、Ｈ３２、Ｈ３３を待機させながら、医師Ｈ１が複数の診察室（診察室Ｐ１、Ｐ２、Ｐ３）を順次移動しながら診察をする。
【００２６】
各診察室Ｐ１、Ｐ２、Ｐ３には机の上にＰＣ（Personal Computer：パーソナルコンピュータ）５１、５２、５３がそれぞれ設置されており、それぞれの診察室において患者Ｈ３１、Ｈ３２、Ｈ３３についての過去の受診歴の閲覧や、今回の診察情報の入力に利用される。図３に示すように、各ＰＣ５１〜ＰＣ５３は、通信ネットワークを介してＡＰ４１及びデータサーバ４と接続されている。また、ＰＣ５１〜ＰＣ５３は、各診察室Ｐ１〜Ｐ３のそれぞれに固定設置されており、データサーバ４は、予めＰＣ５１〜ＰＣ５３と診察室Ｐ１〜Ｐ３のそれぞれを関連付けて記憶している。
このように、生体音収集装置１（聴診器）、及び、上述したＰＣ５１〜ＰＣ５３、ＡＰ４１、データサーバ４によって、診察支援システム９が構築されている。
ところで、生体音収集装置１は医師Ｈ１と一緒に移動するため、診察室Ｐ１、Ｐ２、Ｐ３とは関連付けられていない。このため、生体音収集装置１が取得した生体音データそのものからは、いずれの診察室Ｐ１、Ｐ２、Ｐ３で取得したものかは判断できない。つまり、生体音収集装置１が取得した生体音データからは、患者（Ｈ３１〜Ｈ３３）のいずれの生体音データであるかを判別できない。
【００２７】
図４は、本発明の第１の実施形態に係るデータサーバの構成の一例を示す概略ブロック図である。
図４に示すように、データサーバ４は、診察場所／時刻取得部４００、診察情報特定部４０１、受信部４０２、及び記憶部４０３を備えている。データサーバ４の記憶部４０３には、患者ごとの診察情報（カルテ）、及び、これに関連付けられた生体音データが記憶されている。
以下、図３、図４を参照しながら、データサーバ４の各機能構成について、詳細に説明する。
【００２８】
今、医師Ｈ１が、診察室Ｐ１において患者Ｈ３１に対する診察を開始したとする（図３）。このとき医師Ｈ１は、診察室Ｐ１に設置されたＰＣ５１を操作して患者Ｈ３１に対応する診察情報（カルテ）ファイルを開き、その診察に応じて当該診察情報の参照／入力操作を行う。
ここで、医師Ｈ１による各ＰＣ５１〜５３からの診察情報の参照／入力操作が行われると、データサーバ４は、記憶部４０３に記憶された診察情報の読み出し／更新処理を行う。このとき、データサーバ４の診察場所／時刻取得部４００は、上記医師Ｈ１による診察情報参照／入力操作に基づいて、ＰＣ５１〜５３のいずれのＰＣから参照／入力操作がなされているか、を示す情報と、診察情報参照／入力操作がなされた時刻と、を取得する。なお、情報診察場所／時刻取得部４００は、ＰＣ５１〜５３と診察室Ｐ１〜Ｐ３とを関連付けた情報を参照することで、診察が行われている診察場所（診察室Ｐ１〜Ｐ３）を取得することができる。
【００２９】
ここで、医師Ｈ１が、生体音収集装置１を用いて患者Ｈ３１の生体音を録音すべく、操作受付部１３の送信ボタン１３１を押下したとする。すると、生体音収集装置１のデータ処理部１１５は、録音部１１が取得した生体音データと、付加情報取得部１４が取得した時刻情報をパケット化する処理を行う。さらに、送信部１６１は、パケット化された生体音データおよび時刻情報を同時に、ＡＰ４１を介してデータサーバ４へと送信する（図３参照）。
データサーバ４の受信部４０２が、ＡＰ４１を介して生体音データと時刻情報を受信すると、診察情報特定部４０１が、受信した時刻情報を参照しながら、受信した生体音データと、患者固有の診察情報と、を関連付けて記録する。
ここで具体的には、診察情報特定部４０１は、まず受信した時刻情報と、医師Ｈ１により診察情報参照／入力操作がなされた時刻（診察時刻）と、を照らし合わせる処理を行う。そして、診察情報特定部４０１は、診察室Ｐ１〜Ｐ３のそれぞれにおいてなされた診察時刻（すなわち診察情報参照／入力の操作がなされた時刻）と、受信した時刻情報が示す時刻と、が一致する組み合わせを特定する。
これにより、データサーバ４は、生体音データが取得（録音）された時刻と、診察時刻と、が一致することを手がかりにして、各患者Ｈ３１〜Ｈ３３について取得した生体音データと、当該患者固有の診察情報と、を関連付けて記録することができる。
【００３０】
図５は、本発明の第１の実施形態に係る生体音収集装置の動作の一例を示すフローチャートである。
以下、本実施形態に係る生体音収集装置１の処理フローについて、図５を参照しながら順を追って説明する。なお、図５に示すフローチャートの「開始」は、生体音収集装置１の電源が投入された直後の状態を示している。
【００３１】
生体音収集装置１の電源が投入されると、まず無線通信部１６は、送信部１６１がデータを送信する相手先となる受信機を探索し、当該受信機（図３の例ではＡＰ４１）を特定するとともに、通信規格に準拠した無線通信の確立処理を行う（ステップＳ０１）。具体的には、無線通信部１６は、受信機が定常的に発信しているビーコン信号を受信することにより、近隣に存在する受信機（ＡＰ４１）を探知する。なお、複数の受信機が発見された場合には、無線通信部１６は、複数の受信機のうちビーコン信号の強度の高いものを選択したり、送受信を試行して送受にかかる時間の短いものを選択したりする処理を行ってもよい。
【００３２】
次に、制御部１２の状態判定部１２１は、操作受付部１３にて送信ボタン１３１が押下（ＯＮ）されたか否かを判定する（ステップＳ０２）。送信ボタン１３１が押下されたと判定されない場合（ステップＳ０２：ＮＯ）、送信ボタン１３１が押下されるまでステップＳ０２を繰り返す。
ここで、医師Ｈ１は、生体音収集装置１を被験者Ｈ３にあて、生体音を聞いて異常が無いかの診断を行う。医師Ｈ１は、この場合、生体音を記録したいと判断する際には、操作受付部１３における送信ボタン１３１を押下する。
【００３３】
操作受付部１３が送信ボタン１３１の押下されたことを検知した場合（ステップＳ０２：ＹＥＳ）、録音部１１内のデータ処理部１１５は、メモリ１１６に記録された生体音データと、付加情報である時刻情報とをパケット化する処理を行う（ステップＳ０３）。
ここで、操作受付部１３は、送信ボタン１３１の押下に応じて、検出信号を制御部１２へ出力する。制御部１２は、この検出信号を入力すると、録音の開始または終了を指示する指示信号を録音部１１に出力する。指示信号を入力したマイク１１３、Ａ／Ｄ部１１４、データ処理部１１５は、直ちに集音部１１２から集音される生体音を取り込んで生体音データとしてメモリ１１６に記録する。
同じく、操作受付部１３からの検出信号を入力した付加情報取得部１４は、そのタイミングにおいて計時手段により計時された現在時刻を示す時刻情報をメモリ１１６に記録する。
データ処理部１１５は、メモリ１１６に一時的に記録された生体音データに時刻情報を付加してパケット化する処理を行う。
【００３４】
次に、無線通信部１６の送信部１６１は、ステップＳ０５においてパケット化された情報（生体音データ、時刻情報）を、ステップＳ０１にて確立した無線通信をもってＡＰ４１へ送信する（ステップＳ０４）。送信部１６１は、時刻情報の送信を、生体音データ送信時の最初のみに行ってもよいし、生体音データ送信中に定期的に送信しても良い。
また、データ処理部１１５または送信部１６１は、必要に応じて、無線通信の信頼性向上を目的として、各パケットに誤り訂正符号を付加する処理を行ってもよい。
【００３５】
次に、操作受付部１３は、送信ボタン１３１の押下が取り止められたか否か（送信ボタン１３１がＯＦＦとなったか否か）を判定する（ステップＳ０５）。ここで、医師Ｈ１は、生体音の記録を終了すると判断する際には、操作受付部１３における送信ボタン１３１の押下を取り止める操作を行う。
操作受付部１３において、送信ボタン１３１の押下が引き続き行われている場合（ステップＳ０７：ＮＯ）、生体音収集装置１は、ステップＳ０３に戻って引き続き生体音データ及び時刻情報の取得、並びに、これらの情報の送信処理を継続する。
一方、送信ボタン１３１の押下が取り止められた場合（ステップＳ０７：ＹＥＳ）、生体音収集装置１は、各種処理を終了する。このとき、生体音収集装置１は、ステップＳ０２に戻って、再び送信ボタン１３１が押下されるまで待機してもよい。
なお、無線通信が確立できない場合など、即座に生体音データを送信できない場合には、生体音収集装置１のメモリ１１６に一時生体音データを保持しておき、通信ができるようになった際に送信するようにしてもよい。
【００３６】
なお、生体音データ及び時刻情報を受信したデータサーバ４は、ＰＣ５１〜５３における患者固有の診察情報（カルテ）の参照／入力時刻と、生体音データとともに受信した時刻情報と、を比較参照し、患者（もしくはそのカルテ）と生体音データとを関連付けて記録する。
このとき、カルテの参照／入力時刻と、生体音データを取得した時刻が全く同一に一致することはないので、例えば、データサーバ４は、それぞれが一定の時間範囲内にあるか否か（例えば、時刻情報に示される時刻がカルテの入力時刻の前後５分以内か否か）を判定して関連付けるようにしてもよい。また、時刻情報に示される時刻が、その患者についてのカルテファイルを開いた時刻（診察の開始時刻）と閉じた時刻（診察の終了時刻）との間に含まれるか否か、を判定して関連付けるようにしてもよい。
ここで、本実施形態の説明において、生体音データを取得（録音）した時刻と、診察時刻と、が「一致する」とは、上記のように、生体音データを取得した時刻と、例えばカルテの入力時刻）と、が一定の時間範囲内にある場合、並びに、生体音データを取得した時刻が、診察の開始時刻と終了時刻の間に含まれる場合を含むものとする。
【００３７】
なお、本実施形態において生体音収集装置１は、医師Ｈ１によって送信ボタン１３１が押下されている最中に録音及び送信処理がなされることとしているが、本実施形態の変形例においては、この方法に限定されない。例えば、生体音収集装置１は、医師Ｈ１が送信ボタン１３１を単に一度押下して離すのみで、録音、送信処理を継続して行ってもよい。この場合、生体音収集装置１は、所定の停止ボタンが押下されたことを検出して、録音、送信処理を停止してもよい。またこの場合、医師Ｈ１が停止処理を忘れた場合を考慮して、一定時間経過後に自動的に録音及び送信を停止する処理を行ってもよい。
さらに、生体音収集装置１は、ステップＳ０１において無線通信が確立された後、常時、録音及び送信を継続してもよい。
【００３８】
また、本実施形態において生体音収集装置１は、付加情報（時刻情報）を、生体音データと合わせてパケット化して送信するものとしたが、本実施形態の変形例においては、この方法に限定されない。例えば、生体音収集装置１は、時刻情報を直接送信部１６１へ入力し、パケット化を送信部１６１で実行してもよいし、パケット化せずに生体音データとは異なる通信チャネルを介して送信しても良い。
【００３９】
以上のように、第１の実施形態に係る生体音収集装置１は、録音部１１による生体音データの取得とともに付加情報取得部１４がその生体音データを取得した時刻を示す時刻情報を取得する。これにより、データサーバ４は、生体音データを取得した時刻と、別途記録された、診察時刻とを手がかりにして、その生体音データと、患者固有の診察情報と、を自動的に関連付けて記録することができる。
したがって、使用者（医師Ｈ１）は、取得した生体音データを患者と関連付けるために患者の固有情報などを端末装置に入力する操作を行う必要がなくなるばかりでなく、回診時において当該固有情報を入力するための端末装置を持ち歩く必要がなくなる。
【００４０】
（第２の実施形態）
以下、図面を参照しながら本発明の第２の実施形態について詳しく説明する。第２の実施形態では、生体音収集装置１Ａが、生体音データ、時刻情報若しくは位置情報とともに、自装置の使用者（医師Ｈ１）を識別する使用者識別情報をデータサーバへ送信する場合について説明する。
図６は、本実施形態に係る生体音収集装置１Ａの構成の一例を示す概略ブロック図である。
第１の実施形態に係る生体音収集装置１の構成と、本実施形態に係る生体音収集装置１Ａの構成とを比較すると、識別情報保持部１７を備える点で異なる。その他の構成は同様であるので説明は省略する。
【００４１】
図６に示すように、本実施形態に係る生体音収集装置１Ａは、識別情報保持部１７を備えている。識別情報保持部１７は、自装置の使用者すなわち医師Ｈ１を識別する固有の使用者識別情報（例えば医師登録番号）を記録する。ここで、医師Ｈ１は、生体音収集装置１Ｂの使用の前に、予め自己の医師登録番号を入力する操作を行う。制御部１２は、このときに入力された使用者識別情報（医師登録番号）を、識別情報保持部１７に記録して保持する。
【００４２】
データ処理部１１５は、録音部１１が取得した生体音データ、付加情報取得部１４が取得した付加情報（時刻情報）に加え、識別情報保持部１７に保持された使用者識別情報をパケット化する処理を行う。そして、送信部１６１は、生体音データ、付加情報、並びに、使用者識別情報を同時にデータサーバ４（図３）へと送信する。
【００４３】
ここで、図３を用いて説明した生体音収集装置１の使用例の場合、医師Ｈ１は、単独で複数の診察室を移動しながら診察業務を遂行している前提で説明した。しかしながら、大病院などでは、複数の医師が診察室に待機、若しくは診察室を移動しながら、同時に複数の患者を診察する場合も想定される。
このような状況では、データサーバ４は、時刻情報のみに基づいて、受信した生体音データがいずれの患者に対応するかを特定することができない。
ここで、本実施形態に係るデータサーバ４の診察場所／時刻取得部４００は、第１の実施形態に係る機能に加え、さらに、カルテファイルを扱う医師を特定する情報を取得する。ここで診察場所／時刻取得部４００は、例えば、ＰＣ５１〜５３へのログインＩＤ等を基に、患者Ｈ３１のカルテファイルを扱う医師（すなわち患者Ｈ３１を診察中の医師）が医師Ｈ１であると識別することができる。
そして、診察情報特定部４０１は、上記診察場所／時刻取得部４００が特定した情報（すなわち、患者Ｈ３１を診察中の医師が医師Ｈ１であるとの情報）と、生体音収集装置１Ａから受信した使用者識別情報により示される医師が医師Ｈ１であることに基づいて、受信した生体音データが患者Ｈ３１のものであることを特定し、受信した生体音データと、特定した患者Ｈ３１固有の診察情報と、を関連付けて記録する。
このようにして、データサーバ４は、患者Ｈ３１について取得した生体音データと、患者Ｈ３１固有の診察情報と、を関連付けて記録することができる。
【００４４】
なお、本実施形態に係る生体音収集装置１Ａにおいて、使用者識別情報は、予め入力された医師登録番号であるものとして説明したが、本実施形態の変形例に係る他の生体音収集装置１Ａは、例えば、生体音収集装置１Ａ固有の識別情報であるＭＡＣアドレス（Media Access Control address：メディアアクセスコントロールアドレス）であってもよい。この場合、ＭＡＣアドレス自体は、生体音収集装置１を識別する情報であるが、使用者（医師Ｈ１）が使用の際に、当該使用する生体音収集装置１Ａを記録しておくことで、例えば患者Ｈ３１を診察した医師が、その生体音収集装置１を使用していた医師Ｈ１であると特定することができる。
【００４５】
以上のように、第２の実施形態に係る生体音収集装置１Ａは、予め入力された使用者識別情報を、生体音データ、時刻情報とともに送信する。これにより、複数の医師が同時に複数の患者の診察を行い、時刻情報のみではこれらを切り分けできない場合であっても、患者ごとに診察した医師を特定することで、生体音データと、患者固有の診察情報と、を自動的に関連付けて記録することができる。
【００４６】
（第３の実施形態）
以下、図面を参照しながら本発明の第３の実施形態について詳しく説明する。第３の実施形態では、生体音収集装置１Ｂが、位置計測手段によって計測された位置情報を、集音部によって集音された生体音とともにデータサーバへ送信する場合について説明する。
本実施形態に係る生体音収集装置１Ｂの構成は、第１の実施形態と比較して、付加情報取得部１４Ｂ（付加情報取得部１４に相当）の機能が異なるのみであるため、機能構成の図示、及び、その他の構成についての説明も省略する。
【００４７】
本実施形態に係る付加情報取得部１４Ｂは、所定の計測手段として位置計測手段を備えている。この位置計測手段は、既知の技術、例えば、ＩＭＥＳ（Indoor Messaging System：インドアメッセージングシステム）を利用した測位モジュールからなる。付加情報取得部１４Ｂは、外部に設けられたＩＭＥＳ送信機から受信する所定の測位用データに応じて自装置の位置を計測（測位）し、その位置情報を取得する。ここで位置情報とは、具体的には、緯度情報、経度情報、並びに、高さ（階数）情報等で構成される。
ＩＭＥＳ送信機は、建物の所定箇所に固定設置されるとともに、測位用データとして、自身の設置された緯度、経度を示す緯度情報、経度情報、高さ情報等を送信する。
付加情報取得部１４Ｂは、検出信号（例えば、操作受付部１３が出力した信号）に基づいて、録音部１１が生体音の集音及び録音を開始した際における、自装置の位置を示す位置情報を取得して記憶する。
【００４８】
図７は、本発明の第３の実施形態に係る生体音収集装置の使用状況の一例を示す概略図である。
図７は、生体音収集装置１Ｂの使用例として、医師Ｈ１が複数の病室に入院している被験者（患者Ｈ３１〜Ｈ３６）を回診する場合における診察の状況を示している。
図７に示す例では、複数の病室Ｑ１〜Ｑ６のそれぞれに患者Ｈ３１〜Ｈ３６が入院しており、医師Ｈ１が病室Ｑ１〜Ｑ６を順次移動して回診している状況を示している。図７に示すように、例えば、医師Ｈ１は、病室Ｑ２において患者Ｈ３２を診察している。
【００４９】
医師Ｈ１は、生体音収集装置１Ｂ（聴診器）を持ちながら、各病室Ｑ１〜Ｑ６を順次移動している。図７に示すように、各病室Ｑ１〜Ｑ６には、予めＩＭＥＳ送信機６１〜６６が備えられている。また、図７に示す巡回エリアにはＡＰ４１が設けられており、通信ネットワークを介してデータサーバ４と接続されている。
データサーバ４は、予め各病室Ｑ１〜Ｑ６と、それぞれの病室に入院している患者Ｈ３１〜Ｈ３６と、を関連付けて記憶している。またデータサーバ４は、各病室Ｑ１〜Ｑ６の位置を示す位置情報を予め記憶している。
このように、生体音収集装置１Ｂ、及び、上述したＩＭＥＳ送信機６１〜６６、ＡＰ４１、データサーバ４によって、診察支援システム９Ｂが構築されている。
【００５０】
図７に示す例において、医師Ｈ１が診察中の患者Ｈ３２の生体音を録音しようとした場合、医師Ｈ１は、操作受付部１３の送信ボタン１３１を押下する。このとき、生体音収集装置１Ｂの録音部１１が患者Ｈ３２の生体音の録音を開始するとともに、付加情報取得部１４Ｂは、ＩＭＥＳ送信機６２からの送信信号である測位用データを受信する（図７参照）。付加情報取得部１４Ｂは、ＩＭＥＳ送信機６２の設置位置及び受信した測位用データに基づいて、自装置の位置を計測し、位置情報を取得する。
データ処理部１１５は、録音部１１が取得した生体音データと、付加情報取得部１４Ｂが取得した位置情報をパケット化する処理を行う。さらに、送信部１６１は、パケット化された生体音データおよび位置情報を同時に、ＡＰ４１を介してデータサーバ４へと送信する（図７参照）。
【００５１】
本実施形態に係るデータサーバ４の機能構成は、以下に説明する点を除き、第１の実施形態で説明したものと同一であるため、図示を省略する。
ここで、データサーバ４の受信部４０２が生体音データと位置情報を受信すると、データサーバ４は、この位置情報を参照しながら、受信した生体音データと患者固有の診察情報と関連付けて記録する。
データサーバ４の診察情報特定部４０１が、受信した位置情報と、予め記録された各病室Ｑ１〜Ｑ６についての位置情報と、を照らし合わせる処理を行う。そして、診察情報特定部４０１は、病室Ｑ１〜Ｑ６のうち、受信した位置情報が示す位置に一致するものを選択し、生体音データがいずれの病室で取得されたものかを特定する。さらに、診察情報特定部４０１は、予め記録されていた各病室Ｑ１〜Ｑ６と、それぞれの病室に入院している患者Ｈ３１〜Ｈ３６と、の対応関係を参照して、受信した生体音データと、患者固有の診察情報と、を関連付けて記録する。
これにより、データサーバ４は、生体音データを取得（録音）した位置と、診察を行う場所（病室Ｑ１〜Ｑ６）と、が一致することを手がかりにして、各患者Ｈ３１〜Ｈ３６について取得した生体音データと、当該患者固有の診察情報と、を関連付けて記録することができる。
ここで、本実施形態の説明において、生体音データを取得（録音）した位置と、診察を行う場所（病室Ｑ１〜Ｑ６）と、が「一致する」とは、例えば、病室Ｑ１〜Ｑ６についての位置情報により特定される当該病室の領域内に、生体音データを取得した位置が含まれる場合を含むものとする。
【００５２】
本実施形態に係る生体音収集装置１Ｂの具体的な処理フローについては、第１の実施形態で説明したもの（図５）とほぼ同一であるため、図示を省略する。
ここで、本実施形態に係る生体音収集装置１Ｂは、図５のステップＳ０３において、時刻情報の代わりに、付加情報取得部１４Ｂによる位置情報を取得する。
【００５３】
なお、本実施形態に係る生体音収集装置１Ｂは、ＩＭＥＳによる位置計測手段を用いることを前提として説明したが、本実施形態の変形例に係る生体音収集装置１Ｂはこの方法に限定されるものではない。例えば、生体音収集装置１Ｂは、ＧＰＳ（Global Positioning System：グローバルポジショニングシステム）技術を利用した位置計測手段を用いてもよいし、Ｂｌｕｅｔｏｏｔｈ（登録商標）ビーコンに基づくものでもよい。Ｂｌｕｅｔｏｏｔｈ（登録商標）ビーコンを用いる場合は、付加情報取得部１４Ｂは、ビーコン機器が発信するＩＤ情報を受信する。なお、このＩＤ情報はそのビーコン機器固有の情報となっており、付加情報取得部１４Ｂは、受信したＩＤ情報に基づいて自装置の位置を、ビーコン機器の位置と対応付けて特定することができる。
【００５４】
また、本実施形態に係る生体音収集装置１Ｂは、データサーバ４のみならず、さらに他の病院が保有するデータサーバに送信する機能を備え、当該他の病院に在籍する専門の医師が再度の診断を行えるようにしてもよい。またこの場合において、生体音収集装置１Ｂは、使用者（医師Ｈ１）の操作に基づいて、他の病院に転送するか否かを判定してもよいし、予め定められた所定の情報（例えば、他の病院への転送の有無を患者ごとに関連付けた情報）に基づいて、自動で送信するようにしてもよい。
【００５５】
また、上記の説明においては、生体音収集装置１Ｂの付加情報取得部１４Ｂは、位置計測手段のみを備えて、位置情報を送信するものとしたが、生体音収集装置１Ｂは、第１、第２の実施形態に係る機能をさらに備えていてもよい。
すなわち、本実施形態の変形例に係る生体音収集装置１Ｂの付加情報取得部１４Ｂは、位置計測手段と、計時手段と、の両方を備えてもよい。この場合において、さらに送信部１６１は、生体音データとともに、付加情報として、位置情報および時刻情報の両方を送信してもよい。
これにより、送信しようとする生体音データが即座にデータサーバ４に到達しない場合、例えば、生体音データを一時的に生体音収集装置１内に格納して保持し、診察の後に間をおいてデータサーバ４にまとめて送信するような場合において、医師Ｈ１は、回診時に診察した時間を正確に把握することができる。
【００５６】
また、本実施形態に係る生体音収集装置１Ｂの使用例として、図７に示したような、医師Ｈ１が複数の病室を回診する場合を説明したが、生体音収集装置１Ｂは、第１の実施形態で説明した使用例（図３）でも利用可能である。
この場合、図３において、診察室Ｐ１〜Ｐ３ごとにＩＭＥＳ発振機が設置されており、データサーバ４は、各診察室Ｐ１〜Ｐ３についての位置情報、並びに、各診察室Ｐ１〜Ｐ３と、これらに設置されているＰＣ５１〜５３（図３）との対応関係を予め記録している。
データサーバ４は、生体音収集装置１から各種データを受信すると、受信した位置情報と、予め記録された各診察室Ｐ１〜Ｐ３についての位置情報と、を照らし合わせる処理を行う。そして、データサーバ４は、診察室Ｐ１〜Ｐ３のうち、受信した位置情報に一致するものを特定し、生体音データがどの診察室で取得されたものかを識別する。さらに、データサーバ４は、医師Ｈ１により診察情報参照／入力の操作が成されたＰＣ５１〜５３から、患者がいずれの診察室で診察を受けたかを特定する。
これにより、データサーバ４は、生体音データが取得（録音）された位置と、診察を行う場所（診察室Ｐ１〜Ｐ３）と、が一致することを手がかりにして、各患者Ｈ３１〜Ｈ３３（図３）について取得した生体音データと、当該患者固有の診察情報と、を関連付けて記録することができる。
【００５７】
その他、第１の実施形態で説明した種々の変形例は、本実施形態についても適宜応用可能である。
【００５８】
以上のように、第３の実施形態に係る生体音収集装置１Ｂは、録音部１１による生体音データの取得とともに付加情報取得部１４がその生体音データを取得した位置を示す位置情報を取得する。これにより、データサーバ４は、生体音データを取得した位置と、別途記録された診察場所（病室または診察室）の位置と、を手がかりにして、その生体音データと、患者固有の診察情報と、を自動的に関連付けて記録することができる。
したがって、使用者（医師Ｈ１）は、取得した生体音データを患者と関連付けるために患者の固有情報などを端末装置に入力する操作を行う必要がなくなるばかりでなく、回診時において当該固有情報を入力するための端末装置を持ち歩く必要がなくなる。
【００５９】
また、日や時間によって診察室ごとに担当する医師が変わる場合も想定されるが、この場合、医師Ｈ１は、担当する診察室が変わったとしても、常にその変更先の診察室における位置情報が取得されるので、担当する診察室が変わったことによる新たな設定や情報の入力を行う必要がなくなる。したがって、設定の手間や誤設定を防止することができる。
【００６０】
なお、上述した各実施形態における生体音収集装置１、１Ａ、１Ｂの一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、生体音収集装置１、１Ａ、１Ｂに内蔵されたコンピュータシステムであって、ＯＳや周辺機器等のハードウェアを含むものとする。
【００６１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。
【００６２】
また上記プログラムは、前述した機能の一部を実現するためのものであっても良く、さらに前述した機能をコンピュータシステムにすでに記録されているプログラムとの組み合わせで実現できるものであっても良い。
【００６３】
また、上述した実施形態における生体音収集装置１、１Ａ、１Ｂの一部、または全部を、ＬＳＩ（Large Scale Integration）等の集積回路として実現しても良い。生体音収集装置１、１Ａ、１Ｂの各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００６４】
また、上述した実施形態における診察支援システム９、９Ｂは、被験者固有の診察情報を特定して生体音データとの関連付けを行う診察情報特定部４０１がデータサーバ４に備えられている態様を一例として説明したが、他の実施形態においては、この態様に限定されない。すなわち、他の実施形態に係る診察支援システムにおいては、診察情報特定部４０１が、生体音収集装置１、１Ａ、１Ｂに備えられていてもよいし、生体音収集装置１、１Ａ、１Ｂ、及び、データサーバ４とも異なるさらに別の装置に備えられていてもよい。
【００６５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００６６】
被験者の生体音データを受信して記録するデータサーバ（データサーバ４）は、生体音データと同時に受信した付加情報に基づいて、当該生体音データについての被験者（患者Ｈ３１〜Ｈ３６）を特定し、受信した前記生体音データと、前記被験者（被験者Ｈ３）固有の診察情報（カルテ）と、を関連付けて記録する。
【００６７】
データサーバ（データサーバ４）は、前記付加情報が計時手段によって計測された時刻情報である場合において、診察者（医師Ｈ１）が、前記被験者（被験者Ｈ３）固有の診察情報について参照／入力操作を行った時刻を記録するとともに、当該参照／入力操作を行った時刻と、受信した前記時刻情報が示す時刻と、が一致する場合に、受信した前記生体音データと、前記被験者（被験者Ｈ３）固有の診察情報と、を関連付けて記録する。
【００６８】
データサーバ（データサーバ４）は、前記付加情報が位置計測手段によって計測された位置情報である場合において、前記被験者（被験者Ｈ３）と、当該被験者（被験者Ｈ３）について診察を行う場所（診察室Ｐ１〜Ｐ３、病室Ｑ１〜Ｑ６）と、の対応関係を参照するとともに、当該被験者（被験者Ｈ３）についての診察を行う場所と、受信した前記位置情報が示す位置と、が一致する場合に、受信した前記生体音データと、前記被験者（被験者Ｈ３）固有の診察情報と、を関連付けて記録する。
【００６９】
診察支援システム（診察支援システム９、９Ｂ）は、被験者（被験者Ｈ３）の生体音を収集する集音部（集音部１１２）と、前記被験者（被験者Ｈ３）を特定するための情報であって、所定の計測手段によって計測可能な付加情報を取得する付加情報取得部（付加情報取得部１４）と、前記生体音を示す生体音データと、前記付加情報と、を送信する送信部（送信部１６１）と、を備える生体音収集装置（生体音収集装置１、１Ａ、１Ｂ）と、前記被験者（被験者Ｈ３）の生体音データを受信して記録するデータサーバであって、受信した前記付加情報に基づいて、当該生体音データについての被験者（被験者Ｈ３）を特定し、受信した前記生体音データと、前記被験者（被験者Ｈ３）固有の情報（診察情報）と、を関連付けて記録するデータサーバ（データサーバ４）と、を備える。
【００７０】
生体音収集方法は、被験者Ｈ３の生体音を収集する集音ステップと、被験者Ｈ３を特定するための情報であって、所定の計測手段によって計測可能な付加情報を取得する付加情報取得ステップと、生体音を示す生体音データと、前記付加情報と、を外部装置（データサーバ４）へ送信する送信ステップと、を有する。
【００７１】
プログラムは、生体音収集装置のコンピュータを、被験者の生体音を収集する集音手段、前記被験者を特定するための情報であって、所定の計測手段によって計測可能な付加情報を取得する付加情報取得手段、前記生体音を示す生体音データと、前記付加情報と、を外部装置（データサーバ４）へ送信する送信手段として機能させる。
【符号の説明】
【００７２】
１、１Ａ、１Ｂ・・・生体音収集装置、２・・・イヤホン、３・・・端末装置、４・・・データサーバ、４１・・・ＡＰ、５１、５２、５３・・・ＰＣ、１１・・・録音部、１１１・・・振動板、１１２・・・集音部、１１３・・・マイク、１１４・・・Ａ／Ｄ部、１１５・・・データ処理部、１１６・・・メモリ、１２・・・制御部、１２１・・・状態判定部、１３・・・操作受付部、１４、１４Ｂ・・・付加情報取得部、１５・・・Ｄ／Ａ部、１６・・・無線通信部、１６１・・・送信部、１７・・・識別情報保持部、４００・・・診察場所／時刻取得部、４０１・・・診察情報特定部、４０２・・・受信部、４０３・・・記憶部、９、９Ｂ・・・診察支援システム
【図１】
2015029646.tif 000003
【図２】
2015029646.tif 000004
【図３】
2015029646.tif 000005
【図４】
2015029646.tif 000006
【図５】
2015029646.tif 000007
【図６】
2015029646.tif 000008
【図７】
2015029646.tif 000009